(57)【要約】【課題】捕捉体の既設部分が変形していた場合であっても、既設部分への交換部材の固定を容易にする。【解決手段】支柱と梁とを備え、河川の上流から流れてくる流水を通すとともに土石及び流木を捕捉する捕捉体の補修方法であって、捕捉体から損傷部位が除去された捕捉体の既設部分に対する損傷部位と交換される交換部材の固定位置を、交換部材を既設部分に対して位置決めする位置決め部材（８）により交換部材と既設部分とを連結することにより決定し、交換部材を既設部分から離間させ、固定位置で交換部材が取り付けられる固定部材（４５）を既設部分に取り付け、交換部材と既設部分とを位置決め部材（８）により連結して交換部材を固定位置で固定部材（４５）に取り付ける。【選択図】図１４
2019007315.tif 000002
【特許請求の範囲】
【請求項１】
支柱と梁とを備え、河川の上流から流れてくる流水を通すとともに土石及び流木を捕捉する捕捉体の補修方法であって、
前記捕捉体から損傷部位が除去された前記捕捉体の既設部分に対する前記損傷部位と交換される交換部材の固定位置を、該交換部材を前記既設部分に対して位置決めする位置決め部材により前記交換部材と前記既設部分とを連結することにより決定し、
前記交換部材を前記既設部分から離間させ、
前記固定位置で前記交換部材が取り付けられる固定部材を前記既設部分に取り付け、
前記交換部材と前記既設部分とを前記位置決め部材により連結して前記交換部材を前記固定位置で前記固定部材に取り付ける
ことを特徴とする捕捉体の補修方法。
【請求項２】
前記交換部材を前記既設部分に連結する際、前記位置決め部材の一端は、前記交換部材又は前記既設部分に取り付けられており、
前記固定位置で前記位置決め部材の他端が取り付けられる前記既設部分又は前記交換部材の位置に取付部材を設けることを特徴とする請求項１に記載の捕捉体の補修方法。
【請求項３】
前記固定位置で前記交換部材を前記固定部材に取り付ける際、前記位置決め部材の前記他端を前記取付部材に取り付けることを特徴とする請求項２に記載の捕捉体の補修方法。
【請求項４】
前記固定部材の位置を決定する際、前記交換部材とは反対側を臨む前記固定部材の面に裏当部材を当接させた状態において前記固定部材を前記既設部分に取り付けることを特徴とする請求項１から３までのいずれか一項に記載の捕捉体の補修方法。
【請求項５】
前記固定部材に取り付けられる前記交換部材の端部は、先端方向において前記交換部材の内側に向かって傾斜する斜面が形成されており、前記交換部材が前記固定部材に取り付けられた状態において、当該斜面と前記固定部材との間に前記捕捉体の外側を臨む開先が形成され、
前記交換部材を前記固定部材に対し前記開先において溶接することを特徴とする請求項１から４までのいずれか一項に記載の捕捉体の補修方法。
【請求項６】
前記損傷部位を前記捕捉体における損傷していない部位を切断して除去することを特徴とする請求項１から５までのいずれか一項に記載の捕捉体の補修方法。
【請求項７】
前記交換部材は、前記捕捉体の支柱に相当する支柱部と、前記捕捉体の梁に相当する梁部とを備え、
前記位置決め部材は、前記交換部材と前記既設部分とをそれぞれの前記支柱部及び前記支柱において連結することを特徴とする請求項１から６までのいずれか一項に記載の捕捉体の補修方法。
【請求項８】
前記捕捉体の前記支柱は、前記河川の上流を臨む上流支柱と、前記上流支柱に対して下流側に設けられた下流支柱とを備え、
前記交換部材の前記支柱部は、前記上流支柱に相当する上流支柱部と、前記下流支柱に相当する下流支柱部とを備え、
前記位置決め部材による前記既設部分に対する前記交換部材の連結を、前記上流支柱及び前記上流支柱部、並びに前記下流支柱及び前記下流支柱部において実施することを特徴とする請求項７に記載の捕捉体の補修方法。
【請求項９】
請求項１から８までのいずれか一項に記載の捕捉体の補修方法において使用される交換部材であって、
一端が当該交換部材に取り付けられており、他端が前記固定位置で前記既設部分に取り付けられる位置決め部材
を備えることを特徴とする交換部材。
【発明の詳細な説明】
【技術分野】
【０００１】
本発明は、捕捉体の補修方法及び当該補修方法において使用される交換部材に関する。
【背景技術】
【０００２】
山間部の河川においては、台風や大雨等による土砂災害を防止するため、堰堤が設置される。堰堤は、水を通過させつつも土石流に含まれる岩石や流木が通過することを抑制するものである。特に、水を通過させる透過部に、土石流に含まれる岩石や流木を捕捉するため、鋼管柱と鋼管梁とを立体格子状に組み合わせた捕捉体を設けた格子型鋼製堰堤が知られている（例えば、特許文献１参照。）。
捕捉体においては、柱材（支柱）の上端部と、河川の横断方向に配置した梁材（横梁）から下向きに突設させた柱頭部とをフランジで接合する。また、堰堤の非越流部には、梁端部材が埋め込まれており、梁材の両端部は、梁端部材とフランジを介して接合されている（例えば、特許文献２参照。）。
【先行技術文献】
【特許文献】
【０００３】
【特許文献１】特開平６−１０３３０号公報
【特許文献２】特開２０１１−８９３９３号公報
【発明の概要】
【発明が解決しようとする課題】
【０００４】
ところで、土石流の発生により、図１６に示すように、想定外の礫径を有する大きな岩石Ｒが透過型の堰堤１００の捕捉体２００に衝突することがある。岩石Ｒは、捕捉体２００によって捕捉されるが、捕捉体２００の支柱２１０及び梁２２０には想定以上の衝撃力が加わり、捕捉体２００の支柱２１０及び梁２２０が変形又は損傷することがある。
損傷を受けた捕捉体２００は、損傷の度合いにより、捕捉体２００全体を取り替える必要はなく損傷した部分のみを交換するだけでよい場合がある。捕捉体２００の変形又は損傷した部分は、支柱２１０及び梁２２０それぞれのフランジＦ部同士の連結を解除することによって取り外して新たな部分と交換することができる。
【０００５】
しかし、岩石Ｒとの衝突により捕捉体２００の既設部分も変形していることが多く、捕捉体２００における既設部分のフランジ部Ｆの位置も初期の設計位置からずれていることがある。
また、損傷した部分を取り除いた後、フランジＦの位置を測量して、損傷した部分専用の新たな部分を製造してフランジＦにボルトにより再度締結することも考えられるが、ボルトによる締結には、極めて小さな許容誤差しか許されない。つまり、既設部分が変形していた場合には、ボルト孔も初期の設計位置からずれており、ボルトを介して新たな部分を既設部分に取り付けることは困難なことがある。
【０００６】
そこで、本発明は、上記課題に鑑みてなされたものであり、捕捉体の既設部分が変形していた場合であっても、既設部分への交換部材の固定を容易にする補修方法及び補修方法に使用される交換部材を提供することを目的とする。
【課題を解決するための手段】
【０００７】
上記目的を達成するために、本発明は、支柱と梁とを備え、河川の上流から流れてくる流水を通すとともに土石及び流木を捕捉する捕捉体の補修方法であって、前記捕捉体から損傷部位が除去された前記捕捉体の既設部分に対する前記損傷部位と交換される交換部材の固定位置を、該交換部材を前記既設部分に対して位置決めする位置決め部材により前記交換部材と前記既設部分とを連結することにより決定し、前記交換部材を前記既設部分から離間させ、前記固定位置で前記交換部材が取り付けられる固定部材を前記既設部分に取り付け、前記交換部材と前記既設部分とを前記位置決め部材により連結して前記交換部材を前記固定位置で前記固定部材に取り付けることを特徴とする。
【０００８】
また、前記交換部材を前記既設部分に連結する際、前記位置決め部材の一端は、前記交換部材又は前記既設部分に取り付けられており、前記固定位置で前記位置決め部材の他端が取り付けられる前記既設部分又は前記交換部材の位置に取付部材を設けることが好ましい。
【０００９】
また、前記固定位置で前記交換部材を前記固定部材に取り付ける際、前記位置決め部材の前記他端を前記取付部材に取り付けることが好ましい。
【００１０】
また、前記固定部材の位置を決定する際、前記交換部材とは反対側を臨む前記固定部材の面に裏当部材を当接させた状態において前記固定部材を前記既設部分に取り付けることが好ましい。
【００１１】
また、前記固定部材に取り付けられる前記交換部材の端部は、先端方向において前記交換部材の内側に向かって傾斜する斜面が形成されており、前記交換部材が前記固定部材に取り付けられた状態において、当該斜面と前記固定部材との間に前記捕捉体の外側を臨む開先が形成され、前記交換部材を前記固定部材に対し前記開先において溶接することが好ましい。
【００１２】
また、前記損傷部位を前記捕捉体における損傷していない部位を切断して除去することが好ましい。
【００１３】
また、前記交換部材は、前記捕捉体の支柱に相当する支柱部と、前記捕捉体の梁に相当する梁部とを備え、前記位置決め部材は、前記交換部材と前記既設部分とをそれぞれの前記支柱部及び前記支柱において連結することが好ましい。
【００１４】
また、前記捕捉体の前記支柱は、前記河川の上流を臨む上流支柱と、前記上流支柱に対して下流側に設けられた下流支柱とを備え、前記交換部材の前記支柱部は、前記上流支柱に相当する上流支柱部と、前記下流支柱に相当する下流支柱部とを備え、前記位置決め部材による前記既設部分に対する前記交換部材の連結を、前記上流支柱及び前記上流支柱部、並びに前記下流支柱及び前記下流支柱部において実施することが好ましい。
【００１５】
さらに、上記目的を達成するために、本発明は、捕捉体の補修方法において使用される交換部材であって、一端が当該交換部材に連結されており、他端が前記既設部分に前記固定位置で連結される位置決め部材を備えることを特徴とする。
【発明の効果】
【００１６】
本発明によれば、捕捉体の既設部分が変形している場合であっても、捕捉体の既設部分に交換部材を容易に固定することができる。
【図面の簡単な説明】
【００１７】
【図１】補修された捕捉体を備える透過型の堰堤を示す正面図である。
【図２】捕捉体の側面図であり、（ａ）は、図１のＡ−Ａ線における側面図であり、（ｂ）は図１のＢ−Ｂ線における側面図である。
【図３】交換部材を拡大して示す側面図であり、（ａ）は、図１のＣ−Ｃ線における側面図であり、（ｂ）は図１のＤ−Ｄ線における側面図である。
【図４】環状部材の構成を説明するための斜視図である。
【図５】交換部材の構成を説明するための図であり、（ａ）は正面図であり、（ｂ）は側面図である。
【図６】（ａ）は損傷前の捕捉体の側面図であり、（ｂ）は、土石流中の巨礫が衝突した捕捉体の側面図であり、（ｃ）は、変形又は損傷した捕捉体の側面図である。
【図７】（ａ）は、損傷部位の切断位置を示す捕捉体の側面図であり、（ｂ）は、損傷部位の切断後の捕捉体の既設部分の側面図である。
【図８】捕捉体の既設部分への交換部材の設置工程を説明するための図である。
【図９】位置決め部材の構成を説明するための図である。
【図１０】既設部分と交換部材とが位置決め部材により仮連結された状態を示す図である。
【図１１】交換部材が固定される環状部材の位置決定を説明するための図である。
【図１２】交換部材を既設部分から離間させた状態を示す図である。
【図１３】既設部分への環状部材の取付けを説明するための図である。
【図１４】既設部分への交換部材の取付けを説明するための図である。
【図１５】位置決め部材の変形例を説明するための図である。
【図１６】損傷した捕捉体を有する堰堤の正面図である。
【発明を実施するための形態】
【００１８】
本発明の好ましい実施の形態について、図面を参照しながら説明する。なお、以下に示す実施の形態は一つの例示であり、本発明の範囲において、種々の形態をとりうる。
【００１９】
図１は、補修された捕捉体を備える堰堤の正面図である。図２は補修後の捕捉体の側面図であり、（ａ）は、図１のＡ−Ａ線における側面図であり、（ｂ）は、図１のＢ−Ｂ線における側面図である。図３は、交換部材を拡大して示す側面図であり、（ａ）は、図１のＣ−Ｃ線における側面図であり、（ｂ）は図１のＤ−Ｄ線における側面図である。図４は、環状部材の構成を説明するための斜視図である。図５は、捕捉体の損傷部位の交換部材を示す図であり、（ａ）は、正面図であり、（ｂ）は、側面図である。
【００２０】
＜堰堤の構成＞
まず、図１を用いて堰堤１の構成について説明する。堰堤１は、その底部が地盤に埋設されており、河川を横切るように河川の幅方向に沿って延在するように構築されている。堰堤１は、例えば、コンクリート又はソイルセメントによって構築されている。なお、堰堤１において、河川の上流側又は下流側に面する壁面を、複数の鋼製セグメントを連結することにより形成された鋼板壁とし、その内部にコンクリートやソイルセメントを充填してもよい。
堰堤１は、いわゆる透過型の堰堤であり、河川の上流から流れてくる流水を通す透過部２と、透過部２に設けられて流水を通すとともに土石及び流木を捕捉する捕捉体３とを備える。
【００２１】
［透過部］
透過部２は、図１に示すように、河川の岸にそれぞれ接続して上流からの土石及び流木の越流を阻止する一対の非越流部１１の間に形成されている。
【００２２】
［捕捉体］
図１に示す捕捉体３は、想定外の径を有する礫や流木等の衝突によって破損等した損傷部位ＤＰ（図６（ｃ）参照。）を、新たな部材（後述する交換部材６）と交換して補修したものである。捕捉体３は、堰堤１の延在方向、すなわち、河川の幅方向に沿って透過部２に設けられている。
捕捉体３は、既設部分４と、補修部分５とを有する。
【００２３】
（既設部分）
既設部分４は、捕捉体３が変形や破損した損傷部位ＤＰが取り除かれて後に残った捕捉体３の部分である。ここで「既設部分」とは、損傷部位ＤＰを除去した後の捕捉体３の残りの部分であり、堰堤１の構築時から透過部２に設置されている捕捉体３の部分である。また、既設部分４は、全く変形していない部分か、又は変形が軽微な部分である。
既設部分４は、複数の支柱４１と、支柱４１の間を延在する複数の梁４２とを有する。
支柱４１は、例えば鋼管から形成されており、堰堤１の延在方向に沿って所定の間隔をおいて透過部２の底部に立設されている。支柱４１は、図２（ａ）に示すように、上流側に立設された上流側支柱４１ａと、下流側に立設された下流側支柱４１ｂとを有する。上流側支柱４１ａ及び下流側支柱４１ｂは互いに連結されている。上流側支柱４１ａは、上流側から下流側へ向かって斜め上方に延在し、下流側支柱４１ｂは、下流側から上流側に向かって斜め上方に延在している。
【００２４】
図１に戻って、上流側支柱４１ａは、堰堤１の高さ方向において上下に互いに離間された複数の梁部４２ａを有する。梁部４２ａは、上流側支柱４１ａから堰堤１の延在方向に延びている。隣接する上流側支柱４１ａの梁部４２ａ同士を互いに連結することで梁４２が形成される。より具体的には、各梁部４２ａの先端にはフランジ部（連結部）Ｆが設けられており、隣接する梁部４２ａのフランジ部Ｆを互いに連結することで梁４２が形成される。
【００２５】
図２（ａ）に示すように、下流側支柱４１ｂは、上端部において上流側支柱４１ａと連結されている。また、下流側支柱４１ｂは、中間部において河川の通流方向に延びている連結梁４３を介して上流側支柱４１ａに連結されている。連結梁４３は、上流側支柱４１ａの中間部から下流側に延びる連結梁部４３ａと、下流側支柱４１ｂの中間部から上流側に延びる連結梁部４３ｂとが、それぞれの連結梁部４３ａ，４３ｂが有するフランジ部Ｆを介して互いに連結されることで形成される。
なお、図２（ｂ）に示すように、捕捉体３の延在方向において、上流側支柱４１ａに下流側支柱４１ｂが連結されていない箇所もあり、例えば、下流側支柱４１ｂは、上流側支柱４１ａに１つおきに連結されている。
【００２６】
図３に示すように、補修部分５が連結された既設部分４の上流側支柱４１ａの外周面から平面視矩形の板状の鋼板により形成された取付板（取付部材）４４が立設されている。具体的に、取付板４４は、損傷部位ＤＰが取り除かれた既設部分４における上流側支柱４１ａの上端部に、例えば溶接等により固定されている。取付板４４は、捕捉体３の設置状態において河川の上流にほぼ正対する位置で上流側支柱４１ａの外周面に溶接により固定されている。取付板４４には厚さ方向に貫通した孔４４ａが形成されている。取付板４４の孔４４ａには、後述する位置決め部材８をその一端で取り付けるためのボルト（図示せず。）が挿通される。
なお、図１に示すように、取付板４４は、補修部分５によって補修されていない部分に対応する上流側支柱４１ａには設けられていない。
既設部分４において、損傷部位ＤＰが切断された切断位置ＣＰ（図７（ａ）参照。）と取付板４４との間には、環状部材（固定部材）４５が上流側支柱４１ａのほぼ全周に亘って取り付けられている。環状部材４５は、上流側支柱４１ａの外周面から径方向外側に突出している。
【００２７】
図４に示すように、環状部材４５は、例えば、半円弧状の鋼材により形成された２つの半割部材４５ａが上流側支柱４１ａの外周面に取り付けられることにより形成されている。半割部材４５ａは、既設部分４の上流側支柱４１ａの外周面に固定されて環状部材４５を形成した状態において、表面４５ｂに補修部分５が固定される。
また、既設部分４の上流側支柱４１ａの外周面に２つの半割部材４５ａが環状に固定された状態において、補修部分５が固定される表面４５ｂとは反対側の半割部材４５ａの裏面４５ｃ側には、裏当部材４６が上流側支柱４１ａの外周面に、例えば、溶接により固定されている（図３参照。）。
裏当部材４６は、例えば、円弧状に曲げられた帯状の金属板により形成されており、各半割部材４５ａとその裏面４５ｃにおいて、例えば、溶接により一体に固定されている。
【００２８】
半割部材４５ａの内周縁は、表面４５ｂから裏面４５ｃに向かって斜めに延在する斜面４５ｄが形成されている。斜面４５ｄは、表面４５ｂ側を臨むように形成されている。各半割部材４５ａは、上流側支柱４１ａの外周面に取り付けられた状態において、上流側支柱４１ａの外周面と斜面４５ｄとの間に形成されるテーパ部（開先）４７（図１１参照。）において溶接により上流側支柱４１ａに固定されている（図１３参照。）。
【００２９】
図３（ａ）に示すように、捕捉体３の下流側支柱４１ｂの外周面から平面視矩形の板状の鋼板により形成された取付板（取付部材）４８が立設されている。取付板４８は、下流を臨むようにして立設されている。さらに、下流側支柱４１ｂは、環状部材（固定部材）４５を有している。
取付板４８の具体的な構成、機能及び下流側支柱４１ｂへの固定については取付板４４と同じであるためその説明は省略する。
【００３０】
［補修部分］
図１において二点鎖線で囲んだ補修部分５は、捕捉体３が変形や破損した損傷部位ＤＰに代えて交換部材６を捕捉体３の既設部分４に固定した部分である。
交換部材６は、捕捉体３の損傷部位ＤＰと交換される鋼材により形成されたものである。図５に示すように、交換部材６は、複数の支柱部６１と複数の梁部６２とが一体に形成されている。
支柱部６１は、上流側支柱部６１ａ及び下流側支柱部６１ｂを有する。下流側支柱部６１ｂの上端部は、上流側支柱部６１ａに一体に連結されている。上流側支柱部６１ａ及び下流側支柱部６１ｂは、それぞれの下端部に、損傷部位ＤＰが取り除かれた捕捉体３の既設部分４の上流側支柱４１ａ及び下流側支柱４１ｂの上端部と固定される箇所に固定部分６３，６４を有する。
【００３１】
上流側支柱部６１ａの固定部分６３は、環状部６５と円筒部６６とを有する。環状部６５は、上流側支柱部６１ａの外周面から径方向外側に突出している。円筒部６６は、上流側支柱部６１ａの下端に位置し、環状部６５と一体に形成されている。交換部材６の円筒部６６における内径は、既設部分４における上流側支柱４１ａの外径よりも大きい（図１１参照。）。
円筒部６６は、環状部６５に連結されていない側の先端部において、既設部分４の環状部材４５に溶接により固定される。具体的には、円筒部６６は、その先端部において２つの半割部材４５ａにより形成された環状部材４５の表面４５ｂに溶接により固定される。
円筒部６６の先端部は、円筒部６６の外周面側から内周面側に向かって延在する斜面６６ａが形成されている。斜面６６ａは、円筒部６６の径方向外側を臨むようにして形成されている（図１１参照。）。
交換部材６は、既設部分４の環状部材４５に載置した状態において、円筒部６６の斜面６６ａと環状部材４５の表面４５ｂとの間に形成されて上流側支柱４１ａ及び上流側支柱部６１ａの外側を臨む開先６８において、例えば、溶接により環状部材４５に固定されている（図１４参照。）。
【００３２】
交換部材６の上流側支柱部６１ａの外周面から平面視矩形の板状の鋼板により形成された取付板（取付部材）６９が立設されている。具体的に取付板６９は、捕捉体３の設置状態において固定部分６３の少し上側、例えば、固定部分６３の最も近傍に配置されている梁部６２の延在上で、捕捉体３の設置状態において河川の上流にほぼ正対する位置で上流側支柱部６１ａの外周面に溶接により固定されている。取付板６９は、後述する位置決め部材８との連結時にボルトＢが挿通される孔６９ａを有する。
【００３３】
交換部材６の梁部６２は、捕捉体３の既設部分４における上流側支柱４１ａの梁部４２ａと固定される箇所に固定部分７０を有する。固定部分７０の構成及び機能は、上流側支柱部６１ａの固定部分６３の構成及び機能と同じであるため説明を省略する。
【００３４】
交換部材６の下流側支柱部６１ｂの外周面から平面視矩形の板状の鋼板により形成された取付板（取付部材）７１が立設されている。下流側支柱部６１ｂの固定部分６４及び取付板７１の構成及び機能は、上流側支柱部６１ａの固定部分６３及び取付板６９の構成及び機能と同じであるため説明を省略する。
【００３５】
＜補修方法＞
次に、図６〜図１５を用いて捕捉体３の補修方法を説明する。なお、以下の説明においては、捕捉体３の上流側における既設部分４の上流側支柱４１ａと、交換部材６の上流側支柱部６１ａとの関係について説明するが、下流側における既設部分４の下流側支柱４１ｂ及び交換部材６の下流側支柱部６１ｂにおける補修についても、上流側における補修作業と同様に実施されているものとする。
図６（ａ）は、損傷前の捕捉体の側面図であり、図６（ｂ）は、土石流中の巨礫が衝突した捕捉体の側面図であり、図６（ｃ）は変形又は損傷した捕捉体の側面図である。図７（ａ）は、損傷部位の切断位置を示す捕捉体の側面図であり、図７（ｂ）は、損傷部位の切断後の捕捉体の既設部分の側面図である。図８は、捕捉体の既設部分への交換部材の設置を示す図である。図９は、位置決め部材の構成を説明するための図である。図１０は、既設部分と交換部材とが位置決め部材により仮連結された状態を示す図であり、一部、拡大して示す。図１１は、交換部材が固定される環状部材の位置決定を説明するための図である。図１２は、交換部材を既設部分から離間させた状態を示す図である。図１３は、既設部分への環状部材の取付けを説明するための図である。図１４は、既設部分への交換部材の取り付けを説明するための図である。
【００３６】
図６（ａ）〜（ｃ）に示すように、例えば想定外の礫径を有する岩石Ｒが上流から流されてきて、捕捉体３の上流側支柱４１ａ及び梁４２に衝突した場合、衝突により形成された損傷部位ＤＰを有する捕捉体３を補修する必要がある。
まず、損傷部位ＤＰを捕捉体３から切断する位置を決める。図７（ａ）に示すように、一点鎖線によって示す切断位置ＣＰは、捕捉体３において損傷又は変形していない部分、若しくは損傷又は変形が軽微な部分に設定される。なお、切断位置ＣＰは、支柱４１又は梁４２のフランジ部Ｆ（連結部）以外の箇所に設定される。
図７（ｂ）に示すように、切断位置ＣＰにおいて捕捉体３の損傷部位ＤＰを含む部分を切断して除去する。除去後、捕捉体３の既設部分４の形状を測量する。
【００３７】
測量によって得られた情報に基づいて形成されて損傷部位ＤＰを補完する交換部材６を用意する（図５参照。）。ここで、図８に示すように、交換部材６には、既設部分４と連結するための鋼製の位置決め部材８が取り付けられている。具体的には、図９に示すように、位置決め部材８は、その一端が既に交換部材６の取付板６９にボルトＢにより着脱自在に取り付けられている。
位置決め部材８は、正面視において略Ｕ字状を有する。位置決め部材８は、交換部材６の取付板６９に取り付けられている断面視略Ｌ字形の取付部８１と、既設部分４の取付板４４に取り付けられる断面視略Ｌ字形の取付部８２と、２つの取付部８１，８２を繋ぐ断面視略Ｌ字形の連結部８３とを備える。
【００３８】
取付部８１，８２は、一端が取付板４４，６９に取り付けられ他端が連結部８３に、例えば、溶接により固定されている面部８１ａ，８２ａと、当該面部８１ａ，８２ａに対して直角をなす面部８１ｂ，８２ｂとを有する。
取付板６９に取り付けられている取付部８１の面部８１ａの位置には厚さ方向に貫通した孔（図示せず。）が形成されている。取付板６９の孔６９ａと、取付部８１の面部８１ａに形成された孔とを整合させてボルトＢを挿通させ、当該ボルトＢの他端をナット（図示せず。）により締結することで、位置決め部材８は、交換部材６に着脱自在に取り付けられる。
取付部８２の面部８２ａの取付板４４に取り付けられる位置には厚さ方向に貫通した孔８２ｃが形成されている。取付板４４の孔４４ａと、取付部８２の面部８２ａに形成された孔８２ｃとを整合させてボルトＢを挿通させ、当該ボルトＢの他端をナットＮにより締結することで位置決め部材８は、既設部分４に着脱自在に取り付けられる。
【００３９】
連結部８３は、位置決め部材８の使用状態において、上流側又は下流側を臨む面部８３ａと、当該面部８３ａに対して直角をなす面部８３ｂとを有する。連結部８３は、長手方向Ｌにおける面部８３ｂの両端で、取付部８１，８２の面部８１ａ，８２ａに溶接により連結されている。
以上の構成により、位置決め部材８が交換部材６の取付板６９及び既設部分４の取付板４４に取り付けられた状態において、連結部８３と交換部材６の上流側支柱部６１ａ及び既設部分４の上流側支柱４１ａとの間には空間が形成されている。これにより、後述する環状部材４５の既設部分４の上流側支柱４１ａへの取付作業が容易になる。
【００４０】
図８に戻って、捕捉体３の補修時においては、位置決め部材８が取り付けられた交換部材６をクレーン等で吊り上げて既設部分４に接近させる。吊り上げられた状態において、交換部材６を所望の位置及び姿勢において既設部分４に対して固定する固定位置を決定する。
ここで交換部材６の「所望の位置及び姿勢」とは、既設部分４への交換部材６の設置状態において、例えば、交換部材６の上流側支柱部６１ａの軸線と、既設部分４の上流側支柱４１ａの軸線とが一致するまでの厳密さは要求されず、補修現場において柔軟に決定することができる。
【００４１】
固定位置を決定した後、図９に示すように、位置決め部材８の取付部８２が対向する既設部分４の上流側支柱４１ａの外周面の位置に取付板４４を溶接により取り付ける。取付板４４の固定後に、位置決め部材８の取付部８２に形成されている孔８２ｃを取付板４４に形成されている孔４４ａと整合させてボルトＢを挿通し、ボルトＢの他端をナットＮにより締結する。この作業を、下流側支柱４１ｂ及び下流側支柱部６１ｂにおいても行う。
この状態において、図１０に示すように、交換部材６は、位置決め部材８を介して既設部分４に対して所定の固定位置において仮連結されている。なお、この時点において交換部材６は、依然としてクレーン等により吊り上げられている。
【００４２】
図１１に示すように、交換部材６の円筒部６６の先端部と接触する位置で２つの半割部材４５ａ，４５ａを上流側支柱４１ａの外周面にその周方向外側から当てて、その状態を維持しつつ、両半割部材４５ａ，４５ａの裏面４５ｃ側に裏当部材４６を上流側支柱４１ａの外周面に溶接により固定する。
裏当部材４６の溶接後、半割部材４５ａ，４５ａを一度外し、図１２に示すように、位置決め部材８の他端に設けられた取付部８２と取付板４４との連結を解除して交換部材６を既設部分４から離間させる。
【００４３】
次いで、図１３に示すように、半割部材４５ａ，４５ａを再度、裏当部材４６に当てる。この状態において半割部材４５ａの斜面４５ｄと、既設部分４の上流側支柱４１ａの外周面との間には開先４７が形成される。交換部材６は、既設部分４から離間されているので、溶接作業は、半割部材４５ａの表面４５ｂ側から裏当部材４６に向かって実施される。また、２つの半割部材４５ａ同士の周方向における溶接も行い、半割部材４５ａ，４５ａは、互いに連結されて環状部材４５を形成する。
なお、環状部材４５の半割部材４５ａ及び裏当部材４６を取り付ける上流側支柱４１ａの外周面は、取付作業（溶接）が容易になるように研磨しておくことが好ましい。
【００４４】
次いで、図１４に示すように、クレーンにより吊られた状態にある交換部材６を再度、既設部分４に接近させ、位置決め部材８の取付部８２を、既設部分４の取付板４４にボルトＢ等を介して連結し、交換部材６を既設部分４に対する固定位置に位置決めする。交換部材６が既設部分４に連結された固定位置では、交換部材６の円筒部６６の先端部は、環状部材４５の表面４５ｂに当接している。
交換部材６の円筒部６６の先端部における斜面６６ａと、環状部材４５の表面４５ｂとの間に形成された開先６８において溶接作業を実施して、交換部材６を環状部材４５に連結する。最後に、位置決め部材８を既設部分４の取付板４４及び交換部材６の取付板６９から取り外して捕捉体３の補修は完了する。
【００４５】
以上のような補修方法においては、位置決め部材８を備えた交換部材６を既設部分４に接近させ、位置決め部材８を既設部分４に取り付けて既設部分４と交換部材６とを連結するだけで、既設部分４に対する交換部材６の固定位置を簡単に決定することができる。かくして、位置決め部材８により、交換部材６は固定位置に容易に設置することができるとともに、既設部分４及び交換部材６は互いに連結されているので、決定した固定位置が補修作業中に大幅にずれることを防ぐことができ、捕捉体３の補修が簡単になる。
【００４６】
既設部分４には交換部材６を接近させて、位置決め部材８が取り付けられる既設部分４の上流側支柱４１ａ及び下流側支柱４１ｂの外周面の位置に、位置決め部材８の取付部８２を取り付けるための取付板４４，４８を補修現場で取り付ける。かくして、位置決め部材８を既設部分４の取付板４４，４８を目標として当該取付板４４，４８に取り付けるだけで、捕捉体３の現状に合わせて決定した既設部分４に対する交換部材６の固定位置を容易に決定又は再現することができる。
【００４７】
位置決め部材８により既設部分４に対する交換部材６の固定位置を維持した状態において、交換部材６が載置されて溶接される環状部材４５の位置を決めることができる。既設部分４に対する環状部材４５の溶接は、交換部材６を既設部分４から離間させた後に表面４５ｂ側から実施することができる。これにより、既設部分４の上流側支柱４１ａ及び下流側支柱４１ｂに対する環状部材４５の溶接を、表面４５ｂ（上方）から裏面４５ｃ（下方）に向かって実施することになるので溶接作業が容易になる。
また、環状部材４５の位置決めに際しては、環状部材４５の裏面４５ｃに裏当部材４６を当接（載置）させた状態において既設部分４の外周面に環状部材４５は溶接されるので、既設部分４に対する環状部材４５の溶接位置のずれを防止することができる。かくして、既設部分４に対する交換部材６の固定位置で、環状部材４５を確実に既設部分４に取り付けることができる。
【００４８】
既設部分４に対する環状部材４５の溶接後、離間された交換部材６を既設部分４に対する固定位置に再度戻す場合、位置決め部材８を既設部分４の取付板４４，４８に連結させるだけで先に決定された固定位置に簡単に交換部材６を設置することができる。上述したように、位置決め部材８及び取付板４４の存在により、一度決定された既設部分４に対する交換部材６の固定位置は、交換部材６を既設部分４に対して離間させて再度接近させた場合であっても、簡単に再現することができる。
また、交換部材６と既設部分４とを位置決め部材８により連結するだけで、交換部材６の梁部６２と、既設部分４の梁部４２ａとの固定位置も決めることができる。
【００４９】
さらに、交換部材６の円筒部６６の先端部が環状部材４５の表面４５ｂに載置された状態において、円筒部６６の先端部には斜面６６ａが形成されているので、斜面６６ａと環状部材４５の表面４５ｂとの間には開先６８が形成される。かくして、交換部材６と環状部材４５との溶接は、完全溶け込み溶接のように円筒部６６の内周面側に裏当部材等を設置する必要はないので、溶接作業の簡易化を図ることができる。
【００５０】
損傷部位ＤＰを除去する場合、捕捉体３は、損傷していない部位（切断位置ＣＰ）において切断されるので、環状部材４５が溶接される既設部分４における変形はないか、又は極めて軽微である。かくして、既設部分４に対する交換部材６の固定位置の決定や、環状部材４５の溶接等の補修作業の負担が軽くなる。
また、位置決め部材８による交換部材６と既設部分４との連結は、上流側支柱部６１ａ、下流側支柱部６１ｂ、上流側支柱４１ａ及び下流側支柱４１ｂにおいて上流側及び下流側から実施されるので、固定位置における交換部材６と既設部分４とのより安定した位置決めを行うことができる。
【００５１】
さらに、位置決め部材８は、略Ｌ字形の取付部８１，８２及び連結部８３により形成されているので、断面係数が大きく剛性が高められて曲がりにくくなっている。これにより、交換部材６が既設部分４に固定位置で取り付けられた状態における位置決め部材８の変形は抑制されるので、既設部分４に対する交換部材６の正確な固定位置の維持が可能になる。
【００５２】
＜その他＞
なお、本発明は、上記実施の形態に限られるものではない。例えば、位置決め部材８の代わりに、図１５に示すような位置決め部材８Ａを用いてもよい。図１５は、位置決め部材の変形例を示す図であり、位置決め部材８Ａについて位置決め部材８とは異なる部分について説明する。
位置決め部材８Ａは、連結部８３Ａに固定されている端部とは反対側の取付部８１Ａ，８２Ａの端部に、当該取付部８１Ａ，８２Ａに対して直角をなして互いに向かい合う方向に延在する付設部８４Ａ，８５Ａが、例えば、溶接により取り付けられている。付設部８４Ａ，８５Ａは、連結部８３Ａとほぼ平行に延びている。付設部８４Ａ，８５Ａには、その延在方向に沿って厚さ方向に貫通した２つの孔が形成されている。
位置決め部材８Ａの付設部８４Ａ，８５Ａの構成に応じて、既設部分４の取付板４４，４８及び交換部材６の取付板６９，７１の構成も変更される。つまり、取付板４４，４８，６９，７１ともに２つの孔が形成されていて、当該２つの孔は、位置決め部材８Ａを既設部分４及び交換部材６に取り付けた際、位置決め部材８Ａの付設部８４Ａ，８５Ａの２つの孔と整合するようになっている。
以上のような位置決め部材８Ａを用いて交換部材６を既設部分４に固定位置で連結した場合、位置決め部材８Ａによる交換部材６と既設部分４との連結時の固定強度が増すので、既設部分４に対する交換部材６の固定位置の維持がより正確になる。
【００５３】
交換部材６において位置決め部材８，８Ａが取り付けられない取付板６９，７１は、交換部材６を吊り上げる際に用いられるワイヤー等が通されるようになっていてよい。
また、位置決め部材８，８Ａは、既設部分４の梁部４２ａ及び交換部材６の梁部６２に取り付けて用いることもできる。
【００５４】
位置決め部材８，８Ａは、固定位置を決定する際、交換部材６にではなく既設部分４に予め取り付けられていてもよい。この場合、固定位置を決定する際には、位置決め部材８，８Ａを取り付けるための取付板６９，７１は交換部材６には溶接されておらず、交換部材６を接近させて固定位置を決定した後に交換部材６に溶接されて取り付けられてもよい。
【００５５】
また、環状部材４５は、２つの半割部材４５ａにより形成されている構成に限られず、例えば、１つの円形の部材により構成されていても、また、３つ以上の複数の部材を連結して構成してもよい。
なお、環状部材４５は、取り付ける既設部分４の上流側支柱４１ａ及び下流側支柱４１ｂの外周形状に対応した内周縁を有していれば、外形状は円形や、三角形、四角形等の多角形であってもよい。
【００５６】
また、図１２に示した工程においては、位置決め部材８の他端に設けられた取付部８２と取付板４４との連結を解除して交換部材６を既設部分４から離間させたが、位置決め部材８の一端に設けられた取付部８１と取付板６９との連結を解除して交換部材６を既設部分４から離間させてもよい。
【符号の説明】
【００５７】
１  堰堤
２  透過部
３  捕捉体
４  既設部分
４１  支柱
４２  梁
４３  連結梁
４４，４８  取付板（取付部材）
４５  環状部材（固定部材）
４６  裏当部材
４７  開先
６  交換部材
６８  開先
６９，７１  取付板（取付板）
８  位置決め部材
ＤＰ  損傷部位
【図１】
2019007315.tif 000003
【図２】
2019007315.tif 000004
【図３】
2019007315.tif 000005
【図４】
2019007315.tif 000006
【図５】
2019007315.tif 000007
【図６】
2019007315.tif 000008
【図７】
2019007315.tif 000009
【図８】
2019007315.tif 000010
【図９】
2019007315.tif 000011
【図１０】
2019007315.tif 000012
【図１１】
2019007315.tif 000013
【図１２】
2019007315.tif 000014
【図１３】
2019007315.tif 000015
【図１４】
2019007315.tif 000016
【図１５】
2019007315.tif 000017
【図１６】
2019007315.tif 000018